(57)【要約】【課題】図書管理システムを用いた蔵書点検において点検漏れの書籍が発生した場合に、その書籍の管理場所を推定して点検者に知らせる。【解決手段】管理コンピュータ１が管理する蔵書データベースの各レコードは、書籍が貸出中であるか否かが分かる貸出フィールドと蔵書点検履歴フィールドを含み、蔵書点検履歴フィールドは、少なくとも前回及び今回の蔵書点検履歴に関して、点検順のフィールド及び管理場所のフィールドを含む。前回の蔵書点検時に点検済みであるが今回の蔵書点検で点検されなかった書籍であり、かつ、貸出中でない書籍を点検漏れ書籍として蔵書データベースから抽出し、前回の蔵書点検時に関する点検漏れ書籍の点検順の前後の書籍を蔵書データベースから抽出し、抽出された前後の書籍の管理場所を点検漏れ書籍の管理場所として推定し、点検漏れ書籍及びその推定された管理場所を含むリストの表示出力又は印字出力を行う。【選択図】　図４
2004118487.tif 000002
【特許請求の範囲】
【請求項１】
蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を前記管理コンピュータが推定する方法であって、
（ａ）前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、
（ｂ）前回の蔵書点検時に点検済みであるが今回の蔵書点検で点検されなかった書籍であり、かつ、貸出中でない書籍を点検漏れ書籍として前記蔵書データベースから抽出するステップと、
（ｃ）前回の蔵書点検時に関する前記点検漏れ書籍の点検順の前後の書籍を前記蔵書データベースから抽出するステップと、
（ｄ）前記ステップ（ｃ）で抽出された前後の書籍の管理場所を前記点検漏れ書籍の管理場所として推定するステップと、
（ｅ）前記点検漏れ書籍及びその推定された管理場所を含むリストの表示出力又は印字出力を行うステップと
を実行することを特徴とする図書管理システムにおける蔵書点検漏れ発見方法。
【請求項２】
蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を前記管理コンピュータが推定する方法であって、
（ａ）前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検者を特定する点検者フィールド、点検順のフィールド及び管理場所のフィールドを含み、
（ｂ）前回の蔵書点検時に点検済みであるが今回の蔵書点検で点検されなかった書籍であり、かつ、貸出中でない書籍を点検漏れ書籍として前記蔵書データベースから抽出するステップと、
（ｃ）前回の蔵書点検時に関する前記点検漏れ書籍と同一の点検者であり、かつ、点検順が前後の書籍を前記蔵書データベースから抽出するステップと、
（ｄ）前記ステップ（ｃ）で抽出された前後の書籍の管理場所を前記点検漏れ書籍の管理場所として推定するステップと、
（ｅ）前記点検漏れ書籍及びその推定された管理場所を含むリストの表示出力又は印字出力を行うステップと
を実行することを特徴とする図書管理システムにおける蔵書点検漏れ発見方法。
【請求項３】
蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を推定するために前記管理コンピュータに実行させるコンピュータプログラムであって、
前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、前記コンピュータプログラムは、
（ａ）前回の蔵書点検時に点検済みであるが今回の蔵書点検で点検されなかった書籍であり、かつ、貸出中でない書籍を点検漏れ書籍として前記蔵書データベースから抽出するステップと、
（ｂ）前回の蔵書点検時に関する前記点検漏れ書籍の点検順の前後の書籍を前記蔵書データベースから抽出するステップと、
（ｃ）前記ステップ（ｂ）で抽出された前後の書籍の管理場所を前記点検漏れ書籍の管理場所として推定するステップと、
（ｄ）前記点検漏れ書籍及びその推定された管理場所を含むリストの表示出力又は印字出力を行うステップと
を含む処理を前記管理コンピュータに実行させることを特徴とするコンピュータプログラム。
【請求項４】
蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を推定するために前記管理コンピュータに実行させるコンピュータプログラムであって、
前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検者を特定する点検者フィールド、点検順のフィールド及び管理場所のフィールドを含み、前記コンピュータプログラムは、
（ａ）前回の蔵書点検時に点検済みであるが今回の蔵書点検で点検されなかった書籍であり、かつ、貸出中でない書籍を点検漏れ書籍として前記蔵書データベースから抽出するステップと、
（ｂ）前回の蔵書点検時に関する前記点検漏れ書籍と同一の点検者であり、かつ、点検順が前後の書籍を前記蔵書データベースから抽出するステップと、
（ｃ）前記ステップ（ｂ）で抽出された前後の書籍の管理場所を前記点検漏れ書籍の管理場所として推定するステップと、
（ｄ）前記点検漏れ書籍及びその推定された管理場所を含むリストの表示出力又は印字出力を行うステップと
を含む処理を前記管理コンピュータに実行させることを特徴とするコンピュータプログラム。
【請求項５】
蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を推定するために前記管理コンピュータに実行させるコンピュータプログラムを記録したコンピュータ読み取り可能な記録媒体であって、前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、前記コンピュータプログラムは、
（ａ）前回の蔵書点検時に点検済みであるが今回の蔵書点検で点検されなかった書籍であり、かつ、貸出中でない書籍を点検漏れ書籍として前記蔵書データベースから抽出するステップと、
（ｂ）前回の蔵書点検時に関する前記点検漏れ書籍の点検順の前後の書籍を前記蔵書データベースから抽出するステップと、
（ｃ）前記ステップ（ｂ）で抽出された前後の書籍の管理場所を前記点検漏れ書籍の管理場所として推定するステップと、
（ｄ）前記点検漏れ書籍及びその推定された管理場所を含むリストの表示出力又は印字出力を行うステップと
を含むことを特徴とする記録媒体。
【発明の詳細な説明】
【０００１】
【発明の属する技術分野】
本発明は、図書管理システムにおける蔵書点検漏れ発見方法及びコンピュータプログラムに関する。詳しくは、蔵書点検時に何らかの理由で点検漏れが発生した場合に、その書籍の管理場所をコンピュータ処理によって推定する方法とそれを実現するためのコンピュータプログラムに関する。
【０００２】
【従来の技術】
コンピュータによる図書管理システムとして、例えば特開平５−６１８８６号公報又は特開平８−２２１４２８号公報に開示されているように、バーコードリーダ及び携帯端末を用いたものがある。各書籍には、その管理のための固有のバーコードラベルが貼り付けられている。各書架にも棚番号を示す固有のバーコードラベルが貼り付けられる場合もある。蔵書点検時には、作業者がバーコードリーダを用いて（各書架と）各書籍のバーコードを順番に読み取り、そのデータを携帯端末に蓄積していく。書架の棚番号（又は位置情報）については、携帯端末から手入力される場合もある。
【０００３】
携帯端末に蓄積された蔵書データは、点検作業の終了時又は終了前の適当なタイミングで上位の管理コンピュータに転送（アップロード）される。管理コンピュータは自らの記憶装置に格納されている蔵書データベースを携帯端末から転送された蔵書データにしたがって更新する。そして、前回及び今回の蔵書点検履歴を照合し、かつ、貸出中か否かをチェックすることにより、書籍の紛失（及び盗難）等を発見することができる。
【０００４】
しかし、貸出中でなく、かつ、今回の蔵書点検履歴で点検データが無いからといって直ちに書籍が紛失したと判断することはできない。点検漏れ、すなわちバーコードの読み飛ばしが発生した可能性もあるからである。例えば、点検作業の途中でトイレ休憩等のために一時持ち場を離れた場合や点検作業中に他人に話し掛けられて作業を一時中断したような場合に、点検作業を再開する位置を間違えてバーコードの読み飛ばしが発生することがある。あるいは、背表紙が同じであるか類似している複数の書籍が並んでいる場合に、バーコードの読み飛ばしが発生することがある。
【０００５】
このようなバーコードの読み飛ばし（点検漏れ）が発生したか、それとも現実に書籍が紛失したかを調べるには、蔵書点検の作業者が該当書籍の分類コードを参考にして書架を目視でチェックする必要がある。
【０００６】
【発明が解決しようとする課題】
上記のような点検漏れの有無のチェックにおいて、勤務期間の長い職員のように熟練度の高い点検者の場合はそれほど苦労せずに該当書籍を探し出すことができるが、勤務期間の短い職員のように熟練度の低い点検者の場合は該当書籍を探し出す作業に長時間を要することが多い。このために、蔵書点検作業の完了までの時間が長くなる。
【０００７】
本発明は上記のような従来の課題に鑑みてなされたものであり、図書管理システムを用いた蔵書点検において何らかの理由で点検漏れの書籍が発生した場合に、その書籍の管理場所をコンピュータ処理によって推定して点検者に知らせる方法とそれを実現するためのコンピュータプログラムを提供することを目的とする。
【０００８】
【課題を解決するための手段】
本発明による図書管理システムにおける蔵書点検漏れ発見方法の第１の構成は、蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を前記管理コンピュータが推定する方法であって、（ａ）前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、（ｂ）前回の蔵書点検時に点検済みであるが今回の蔵書点検で点検されなかった書籍であり、かつ、貸出中でない書籍を点検漏れ書籍として前記蔵書データベースから抽出するステップと、（ｃ）前回の蔵書点検時に関する前記点検漏れ書籍の点検順の前後の書籍を前記蔵書データベースから抽出するステップと、（ｄ）前記ステップ（ｃ）で抽出された前後の書籍の管理場所を前記点検漏れ書籍の管理場所として推定するステップと、（ｅ）前記点検漏れ書籍及びその推定された管理場所を含むリストの表示出力又は印字出力を行うステップとを実行することを特徴とする。
【０００９】
このような方法によれば、蔵書点検において点検漏れとなった書籍の管理場所を管理コンピュータが推定して表示又は印字出力するので、勤務期間の短い職員のように熟練度の低い点検者の場合であっても短時間で容易に点検漏れ書籍を実際の管理場所で発見することができる。なお、上記のステップ（ｄ）において点検漏れ書籍の点検順の前後の書籍の管理場所が一致する場合は、その管理場所を点検漏れ書籍の管理場所として推定し、前後の書籍の管理場所が異なる場合（例えば、棚番号が同一で棚位置が異なる場合）は、それら２つの管理場所を点検漏れ書籍の推定管理場所として併記することが好ましい。
【００１０】
本発明による図書管理システムにおける蔵書点検漏れ発見方法の第２の構成は、蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を前記管理コンピュータが推定する方法であって、（ａ）前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検者を特定する点検者フィールド、点検順のフィールド及び管理場所のフィールドを含み、（ｂ）前回の蔵書点検時に点検済みであるが今回の蔵書点検で点検されなかった書籍であり、かつ、貸出中でない書籍を点検漏れ書籍として前記蔵書データベースから抽出するステップと、（ｃ）前回の蔵書点検時に関する前記点検漏れ書籍と同一の点検者であり、かつ、点検順が前後の書籍を前記蔵書データベースから抽出するステップと、（ｄ）前記ステップ（ｃ）で抽出された前後の書籍の管理場所を前記点検漏れ書籍の管理場所として推定するステップと、（ｅ）前記点検漏れ書籍及びその推定された管理場所を含むリストの表示出力又は印字出力を行うステップとを実行することを特徴とする。
【００１１】
このような方法によれば、複数の点検者（作業者）が分担して蔵書点検を行うような場合であっても、蔵書点検において点検漏れとなった書籍の管理場所を前回の蔵書点検時の点検者及び点検順に基づいて管理コンピュータが推定し、表示又は印字出力する。したがって、勤務期間の短い職員のように熟練度の低い作業者の場合であっても短時間で容易に点検漏れ書籍を実際の管理場所で発見することができる。
【００１２】
また、上記のような方法を実現するための本発明によるコンピュータプログラムの第１の構成では、前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、前記コンピュータプログラムは、（ａ）前回の蔵書点検時に点検済みであるが今回の蔵書点検で点検されなかった書籍であり、かつ、貸出中でない書籍を点検漏れ書籍として前記蔵書データベースから抽出するステップと、（ｂ）前回の蔵書点検時に関する前記点検漏れ書籍の点検順の前後の書籍を前記蔵書データベースから抽出するステップと、（ｃ）前記ステップ（ｂ）で抽出された前後の書籍の管理場所を前記点検漏れ書籍の管理場所として推定するステップと、（ｄ）前記点検漏れ書籍及びその推定された管理場所を含むリストの表示出力又は印字出力を行うステップとを含む処理を前記管理コンピュータに実行させることを特徴とする。
【００１３】
また、本発明によるコンピュータプログラムの第２の構成では、前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検者を特定する点検者フィールド、点検順のフィールド及び管理場所のフィールドを含み、前記コンピュータプログラムは、（ａ）前回の蔵書点検時に点検済みであるが今回の蔵書点検で点検されなかった書籍であり、かつ、貸出中でない書籍を点検漏れ書籍として前記蔵書データベースから抽出するステップと、（ｂ）前回の蔵書点検時に関する前記点検漏れ書籍と同一の点検者であり、かつ、点検順が前後の書籍を前記蔵書データベースから抽出するステップと、（ｃ）前記ステップ（ｂ）で抽出された前後の書籍の管理場所を前記点検漏れ書籍の管理場所として推定するステップと、（ｄ）前記点検漏れ書籍及びその推定された管理場所を含むリストの表示出力又は印字出力を行うステップとを含む処理を前記管理コンピュータに実行させることを特徴とする
上記のようなコンピュータプログラムは、例えばＣＤ−ＲＯＭのようなコンピュータ読み取り可能な記録媒体に記録された状態で供給され、記録媒体の読取装置を介して管理コンピュータにインストールすることができる。あるいはネットワークに接続されたサーバ等の他のコンピュータから管理コンピュータにダウンロードしてインストールし、又はダウンロードしながら実行することも可能である。
【００１４】
【発明の実施の形態】
以下、本発明の実施形態を図面に基づいて説明する。
【００１５】
図１は、本発明の実施形態に係る図書管理システムの概要を示す全体構成図である。図１の構成では、１台の管理コンピュータ１に１台の携帯端末２が接続され、携帯端末２にはバーコードリーダ（バーコードスキャナともいう）３が接続されている。実際には、１台の管理コンピュータ１に複数台の携帯端末２及びバーコードリーダ３が接続可能である。
【００１６】
携帯端末２には汎用のＰＤＡ（ｐｅｒｓｏｎａｌ　ｄｉｇｉｔａｌ　ａｓｓｉｓｔａｎｃｅ）端末を用いることができる。携帯端末２にはＯＳ（オペレーティングシステム）としてＷｉｎｄｏｗｓＣＥ又はＰａｌｍＯＳ（いずれも登録商標）がインストールされている。また、図書管理システム用プログラム（ソフトウェア）がインストールされ、実行される。
【００１７】
バーコードリーダ３は、携帯端末２の機能拡張端子（いわゆる外部メモリスロット又は拡張スロット）を介して携帯端末２と通信を行うための通信インターフェイスを備えている。このような通信インターフェイスのハードウェアとして、例えばＣＦ（コンパクトフラッシュ（登録商標））カードコネクタがある。なお、バーコードリーダ一体型の携帯端末を用いてもよい。
【００１８】
また、携帯端末２は上位コンピュータである管理コンピュータ１との間でデータ通信を行うことができる。そのような通信インターフェイスのハードウェアとして、上記のようなＣＦカードコネクタを用いてもよいし、別のコネクタを用いてもよい。
【００１９】
携帯端末２は更に、上記の図書管理システム用プログラムにしたがって所定の処理を実行するプロセッサと、バーコードリーダ３から得られた各書籍の管理情報である蔵書データをプロセッサの制御にしたがって蓄積するメモリ（半導体メモリ）を内蔵している。また、各種表示を行うための表示部２ａと各種入力のための入力操作部２ｂとを備えている。
【００２０】
通常は、携帯端末２は管理コンピュータ１と切り離された状態で作業者が携行する。作業者はバーコードリーダ３を用いて書籍に付されたバーコードの読取作業を行い、読み取られた蔵書データがメモリに蓄積される。蓄積されたデータを管理コンピュータ１に転送するときのように、携帯端末２と管理コンピュータ１との通信を行う必要が生じたときに、携帯端末２と管理コンピュータ１とが接続される。したがって、１つのＣＦカードコネクタをバーコードリーダ３との接続及び管理コンピュータ１との接続に切り替えて兼用することも可能である。
【００２１】
管理コンピュータ１は、パーソナルコンピュータのようなコンピュータシステムに、図書管理用の専用プログラムをインストールして構成される。この専用プログラムは、蔵書点検処理、予約管理処理、貸出し処理、返却処理、蔵書更新処理等の図書管理のための各種処理を管理コンピュータ１に実行させるためのプログラムである。
【００２２】
上記の専用プログラムは、例えばＣＤ−ＲＯＭ（光ディスク）のような記録媒体６に記録された状態で供給され、読取装置７を介してコンピュータ本体１０の補助記憶装置（ＨＤＤ）１３にインストールされる。補助記憶装置１３にインストールされた専用プログラムは主メモリ１２にロードされ、処理装置１４によって実行される。ネットワークに接続されたサーバ等の他のコンピュータから管理コンピュータ１に専用プログラムをダウンロードしてインストールし、あるいは、ダウンロードしながら実行することも可能である。
【００２３】
また、前述の携帯端末２にインストールして実行させるプログラムについても、記録媒体６に記録されたプログラムを読取装置７を介してコンピュータ本体１０の補助記憶装置（ＨＤＤ）１３に一旦格納し、携帯端末２に転送することによって容易に携帯端末２にインストールすることができる。補助記憶装置１３には、後述する蔵書データベースも格納される。
【００２４】
コンピュータ本体１０は、主メモリ１２、補助記憶装置１３及び処理装置１４の他に、入力処理部１５ａ、表示処理部１６ａ及び通信部１７を備えている。入力処理部１５ａにはキーボード、マウス等の入力装置１５が接続され、表示処理部１６ａにはＣＲＴ（陰極線管）、ＬＣＤ（液晶表示装置）等の表示装置１６が接続されている。通信部１７は、図１の構成では携帯端末２との通信に使用される。ＲＳ２３２Ｃシリアル通信、ＵＳＢ通信の他、種々の通信インターフェイスを用いることができる。有線に限らず、ブルートゥースのような無線通信インターフェイスを用いてもよい。
【００２５】
上記のような図書管理システムを用いて蔵書点検を行う際の作業手順について簡単に説明する。１又は複数の作業者は、各自携行する携帯端末２を用いて、担当範囲内の書架に置かれた書籍に付されているバーコードを順番に読み取っていく。各書籍には、その管理のための固有のバーコードラベルが貼り付けられている。読み取られたバーコードデータ（蔵書データ）は携帯端末２の内蔵メモリに一旦記憶された後、所定のタイミングで携帯端末２から管理コンピュータ１に転送される。
【００２６】
また、書籍の管理場所をチェックするために、各書架には固有の番号又は記号が付されている。蔵書点検の作業者（点検者）は、書籍に付されたバーコードを順番に読み取る際に、作業対象の書架の番号又は記号を携帯端末２のキー（押ボタン）等の入力手段を用いて入力する。各書架に固有のバーコードラベルが貼り付けられている場合もある。その場合は、そのバーコードを読み取ることにより、作業対象の書架の番号又は記号が携帯端末２に入力される。
【００２７】
図２は、蔵書データのレコード構成例を示す図表である。なお、本発明に無関係のフィールドについては図２では省略されている。点検者（図書館の職員）は、蔵書点検の際に自分のＩＤ（点検者コード）を入力する。続いて、点検対象の書架の棚番号及び棚位置（管理場所）を入力する。書架にバーコードラベルが貼り付けられている場合は、そのバーコードを読み取ることによってそれら管理場所の情報が入力される。この後、その管理場所にある書籍のバーコードを順番に読み取っていく。
【００２８】
バーコードから読み取られて携帯端末２の内蔵メモリに蓄積された蔵書データは、蔵書点検作業の終了時に、又は適当なタイミングで管理コンピュータ１に転送される。管理コンピュータ１は、補助記憶装置１３に格納されている蔵書データベースを携帯端末２から転送された蔵書データにしたがって更新する。
【００２９】
図３は、蔵書データベースのレコード構成例を示す図表である。なお、本発明に無関係のフィールドについては図３では省略されている。図３に示すように、蔵書データベースには蔵書点検履歴（１）から蔵書点検履歴（ｎ）までの計ｎ個の蔵書点検履歴フィールドが記録されている。蔵書点検履歴（ｎ）が今回の蔵書点検によって携帯端末２から転送された蔵書データにしたがって追加された蔵書点検履歴フィールドであり、図示は省略されているが蔵書点検履歴（ｎ−１）が前回の蔵書点検によって得られた蔵書点検履歴フィールドである。
【００３０】
管理コンピュータ１は、前回及び今回の蔵書点検履歴を照合し、更に貸出中か否かをチェックすることにより、書籍の紛失（及び盗難）や管理場所（棚位置）の間違い等を発見することができる。但し、貸出中でなく、かつ、今回の蔵書点検履歴で点検データが無いからといって書籍が直ちに紛失したと判断することはできない。むしろ、ほとんどの場合はバーコードの読み飛ばしに起因する点検漏れ書籍である。例えば、点検作業の途中でトイレ休憩等のために一時持ち場を離れた場合や点検作業中に他人に話し掛けられて作業を一時中断したような場合に、点検作業を再開する位置を間違えてバーコードの読み飛ばしが発生することがある。あるいは、背表紙が同じであるか類似している複数の書籍が並んでいる場合に、バーコードの読み飛ばしが発生することがある。
【００３１】
このようなバーコードの読み飛ばし（点検漏れ）が発生したか、それとも現実に書籍が紛失したかを調べるには、蔵書点検の作業者が該当書籍の分類コードを参考にして書架を目視でチェックする必要がある。本実施形態の図書管理システムでは、管理コンピュータ１が、上記のような書籍（点検漏れとみなされた書籍、単に点検漏れ書籍ということもある）の管理場所（棚番号及び棚位置）を推定して表示する。点検者は、その表示された管理場所に行けば、ほとんどの場合は点検漏れ書籍を容易に見つけることができる。
【００３２】
図４は、管理コンピュータ１の処理装置１４が実行する点検漏れ書籍の管理場所の推定に関する処理の第１例を示すフローチャートである。ステップ＃１０１において、処理装置１４は前回の蔵書点検履歴（ｎ−１）の点検日フィールドにデータがあり、かつ、今回の蔵書点検履歴（ｎ）の点検日フィールドにデータが記録されていない書籍を蔵書データベースから抽出する。抽出された書籍が複数ある場合は、続くステップ＃１０２からステップ＃１０６の処理を抽出された各書籍について繰り返す。
【００３３】
ステップ＃１０２では、その書籍が貸出中か否かをチェックする。図３に示した蔵書データベースのレコード構成例において、最新の貸出履歴（ｎ）のフィールドの貸出日が記録され、かつ、返却日が空欄であれば、そのレコードの書籍は貸出中であるとみなす。貸出中である場合は、ステップ＃１０３からステップ＃１０５をスキップする。
【００３４】
貸出中でない場合は、その書籍は点検漏れ書籍であるとみなし、記憶する（ステップ＃１０３）。更に、前回の蔵書点検履歴（ｎ−１）において点検漏れ書籍の前後の点検順の書籍を蔵書データベースから抽出する（ステップ＃１０４）。そして、それらの書籍の管理場所を点検漏れ書籍の管理場所として推定し、記憶する（ステップ＃１０５）。
【００３５】
次のステップ＃１０６において、ステップ＃１０１で抽出されたすべての書籍についてステップ＃１０２からステップ＃１０５の処理を終了したか否かがチェックされ、未終了の書籍がある場合はステップ＃１０２に戻る。すべての書籍についてステップ＃１０２からステップ＃１０５の処理を終了すればステップ＃１０７へ移行し、記憶されている点検漏れ書籍及びその推定された管理場所を含むリストを表示装置１６に表示させる。
【００３６】
なお、ステップ＃１０５において、点検漏れ書籍の前後の（点検順の）書籍の管理場所が一致する場合は、その管理場所を点検漏れ書籍の管理場所として推定し、前後の書籍の管理場所が異なる場合（例えば、棚番号が同一で棚位置が異なる場合）は、それら２つの管理場所を点検漏れ書籍の推定管理場所として推定し、記憶することが好ましい。後者の場合は、ステップ＃１０７において表示される点検漏れ書籍の管理場所は、２箇所が併記されたものとなる。
【００３７】
図５は、管理コンピュータ１の処理装置１４が実行する点検漏れ書籍の管理場所の推定に関する処理の第２例を示すフローチャートである。図４に示した第１例と異なるのは、ステップ＃２０４の処理だけである。この第２例では、前回の蔵書点検履歴（ｎ−１）において点検漏れ書籍と同一の点検者であり、かつ、点検順が前後の書籍を抽出する。
【００３８】
図４の第１例では点検者のフィールドはチェックしないので、図３に示した蔵書データベースのレコード構成例において、点検者のフィールドは必ずしも必要ではない。しかし、図書館の規模が大きい場合は通常、複数の点検者（作業者）が分担して蔵書点検を行う。その場合は、点検順フィールドのデータだけでは前回の蔵書点検履歴フィールドで点検漏れ書籍を一意に特定することができない。
【００３９】
そこで、図５に示す第２例では、図３に示した蔵書データベースのレコード構成例において点検者（ＩＤ）のフィールドを必須とし、点検者及び点検順の両方を参照することにより、点検漏れ書籍を一意に特定する。これにより、複数の点検者（作業者）が分担して蔵書点検を行うような場合でも、前後の書籍の管理場所から点検漏れ書籍の管理場所を的確に推定することができる。
【００４０】
以下、具体例に沿って本発明の図書管理システムにおける蔵書点検漏れ発見方法について説明を加える。
【００４１】
図６は、蔵書点検システムを構成する携帯端末２の表示部２ａに表示される初期入力画面の例を示す図である。この入力画面例２０は、図書館職員であるＡさんが、蔵書点検作業を行うに際して、点検日（当日）の日付として２００Ｘ／ＭＭ／ＤＤを入力ボックス２１に入力し、Ａさんの職員番号「ＮＮＮＮ０１」を点検者のＩＤとして入力ボックス２２に入力した状態を示している。この状態で「実行」ボタン２３を押下すれば蔵書点検作業を開始することができる。なお、この例では、複数の点検者が分担して図書館全体の蔵書点検を行うものとする。
【００４２】
図７は、書架に書籍が並べられた状態の例を模式的に示す図である。この例では、棚番号Ｂの書架３０が３段構成となっていて、上から順に棚位置１、棚位置２及び棚位置３が付されている。それぞれの棚にはバーコードラベル３１が貼り付けられており、携帯端末２のバーコードリーダ３でバーコードラベル３１を読み取れば、棚番号Ｂ及び棚位置１，２又は３が管理場所データとして入力される。バーコードラベル３１には、棚番号及び棚位置の他に書籍の分類コードの情報が含まれている。
【００４３】
Ａさんは、棚のバーコードラベル３１をバーコードリーダ３で読み取った後、その棚に載置された書籍を順番に取り出して、各書籍に貼られているバーコードラベルを読み取っていく。１つの棚についてすべての書籍のバーコードラベルを読み取れば、次の棚について上記の作業を繰り返す。
【００４４】
Ａさんは、自分の担当の範囲の点検作業が終了すると、携帯端末２のメモリに蓄積されている蔵書データを管理コンピュータ１に転送する。やがて、複数の点検者全員の点検作業が終了し、各点検者の携帯端末２のメモリに蓄積されている蔵書データがすべて管理コンピュータ１に転送される。
【００４５】
この後、管理コンピュータ１は、前述のようにして蔵書データベースを更新し、蔵書点検仮終了の処理（点検漏れのチェック処理）を実行する。その結果、点検漏れ書籍及びその推定された管理場所を含むリストが一覧表として管理コンピュータ１の表示装置１６に表示される。
【００４６】
図８は、管理コンピュータ１の表示装置１６に表示される点検漏れ書籍及びその推定された管理場所を含むリストの表示例を示す図表である。このリスト（一覧表）の例において一番上に表示された書籍名「鎌倉時代の生活」の点検漏れ書籍を例にとって、その推定管理場所「棚番号Ｂ、棚位置１」が表示されるまでの過程を以下に説明する。
【００４７】
図９は、蔵書データベースに含まれる書籍レコードの一部を抜書きした図表である。具体的には、書籍名「鎌倉時代の生活」の書籍とその両側に並べられた（図７参照）書籍名「日本の歴史（５）」の書籍及び書籍名「歴史読本（１）」の書籍に関する書籍レコードの今回の蔵書点検履歴（ｎ）フィールド及び前回の蔵書点検履歴（ｎ−１）フィールドを抜書きしたものである。
【００４８】
図９において、書籍名「鎌倉時代の生活」の書籍レコードに関して、前回の蔵書点検履歴（ｎ−１）の各フィールド（特に点検日フィールド）はデータが記録されているが、今回の書点検履歴（ｎ）の各フィールドはデータが記録されていない。また、図４のステップ＃１０２で説明したように、書籍名「鎌倉時代の生活」の書籍が貸し出し中でないことがチェックされたとする。この場合は、図４又は図５のフローチャートを参照して説明したように、書籍名「鎌倉時代の生活」の書籍が点検漏れ書籍であるとみなされ、記憶される。
【００４９】
そして、前回の蔵書点検履歴（ｎ−１）において点検漏れ書籍「鎌倉時代の生活」と同一の点検者（コードＮＮＮＮ０５）であり、かつ、その点検順（１０２）の前後の点検順である書籍を蔵書データベースから抽出する。その結果、図９に示すように、書籍名「日本の歴史（５）」の書籍（点検順１０１）及び書籍名「歴史読本（１）」の書籍（点検順１０３）が抽出される。
【００５０】
次に、それらの書籍の今回の蔵書点検履歴（ｎ）における管理場所をチェックすると、いずれも「棚番号Ｂ、棚位置１」であることがわかる。そこで、点検漏れ書籍「鎌倉時代の生活」の管理場所も「棚番号Ｂ，棚位置１」であると推定し、記憶する。こうして、図８に示したように、管理コンピュータ１の表示装置１６に表示される点検漏れ書籍及びその推定された管理場所を含むリストにおいて、点検漏れ書籍「鎌倉時代の生活」の推定管理場所として「棚番号Ｂ，棚位置１」が表示される。
【００５１】
なお、この例では、前回の蔵書点検履歴（ｎ−１）において３冊の書籍「鎌倉時代の生活」、「日本の歴史（５）」及び「歴史読本（１）」の管理場所は「棚番号Ｃ、棚位置２」であった。その後、Ｃ棚が満杯になった等の理由により、これらの本が管理場所「棚番号Ｂ，棚位置１」へ移動していたことになる。
【００５２】
図１０は、図８の一覧表示において推定管理場所の欄を選択したときに表示されるレイアウトの表示例を示す図である。図８に例示した点検漏れ書籍及びその推定された管理場所を含むリストの一覧表示において、一番上の書籍名「鎌倉時代の生活」に対応する推定管理場所の欄を例えばマウスのクリックによって選択すると、図１０に例示するようなレイアウト図が表示され、該当する管理場所「棚番号Ｂ，棚位置１」が反転表示される。
【００５３】
これにより、点検者は点検漏れ書籍「鎌倉時代の生活」の推定管理場所の位置を表示装置１６の画面上で知ることができる。したがって、経験の少ない不慣れな点検者であっても、容易に点検漏れ書籍の推定管理場所へ行き、短時間でその書籍を見つけることができる。点検漏れ書籍が見つかれば、その書籍に付されたバーコードラベルを携帯端末２のバーコードリーダ３で読み込む。すべての点検漏れ書籍について上記の作業を終了した後、携帯端末２に蓄積されている点検漏れ書籍に関する蔵書データを管理コンピュータ１に転送する。管理コンピュータ１は再度、蔵書点検仮終了の処理（点検漏れのチェック処理）を実行し、その結果、点検漏れ書籍は無くなる。
【００５４】
なお、上記の例は、複数の点検者が分担して蔵書点検を行う場合であるが、点検者が一人の場合は、前回の蔵書点検履歴において点検者を特定しなくても、点検順を特定するだけで点検漏れ書籍の前後の書籍を一意に特定することができる。
【００５５】
上記の実施形態で示した具体的な処理内容や処理手順は一例に過ぎない。本発明はこれに限定されず種々の形態で実施することが可能である。例えば、上記実施形態では、管理コンピュータ１によって点検漏れ書籍及びその推定された管理場所を含むリストが表示装置１６に表示されるが、表示に代えて、又は表示と共にプリンタからリストを印字出力するようにしてもよい。あるいは、音声出力するようにしてもよい。
【００５６】
（付記１）蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を前記管理コンピュータが推定する方法であって、
（ａ）前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、
（ｂ）前回の蔵書点検時に点検済みであるが今回の蔵書点検で点検されなかった書籍であり、かつ、貸出中でない書籍を点検漏れ書籍として前記蔵書データベースから抽出するステップと、
（ｃ）前回の蔵書点検時に関する前記点検漏れ書籍の点検順の前後の書籍を前記蔵書データベースから抽出するステップと、
（ｄ）前記ステップ（ｃ）で抽出された前後の書籍の管理場所を前記点検漏れ書籍の管理場所として推定するステップと、
（ｅ）前記点検漏れ書籍及びその推定された管理場所を含むリストの表示出力又は印字出力を行うステップとを実行することを特徴とする図書管理システムにおける蔵書点検漏れ発見方法。
【００５７】
（付記２）蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を前記管理コンピュータが推定する方法であって、
（ａ）前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検者を特定する点検者フィールド、点検順のフィールド及び管理場所のフィールドを含み、
（ｂ）前回の蔵書点検時に点検済みであるが今回の蔵書点検で点検されなかった書籍であり、かつ、貸出中でない書籍を点検漏れ書籍として前記蔵書データベースから抽出するステップと、
（ｃ）前回の蔵書点検時に関する前記点検漏れ書籍と同一の点検者であり、かつ、点検順が前後の書籍を前記蔵書データベースから抽出するステップと、
（ｄ）前記ステップ（ｃ）で抽出された前後の書籍の管理場所を前記点検漏れ書籍の管理場所として推定するステップと、
（ｅ）前記点検漏れ書籍及びその推定された管理場所を含むリストの表示出力又は印字出力を行うステップとを実行することを特徴とする図書管理システムにおける蔵書点検漏れ発見方法。
【００５８】
（付記３）前記ステップ（ｄ）において、前記点検漏れ書籍の点検順の前後の書籍の管理場所が一致する場合は、その管理場所を前記点検漏れ書籍の管理場所として推定し、前後の書籍の管理場所が異なる場合は、それら２つの管理場所を点検漏れ書籍の推定管理場所として併記することを特徴とする付記１又は２記載の図書管理システムにおける蔵書点検漏れ発見方法。
【００５９】
（付記４）蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を推定するために前記管理コンピュータに実行させるコンピュータプログラムであって、前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、前記コンピュータプログラムは、
（ａ）前回の蔵書点検時に点検済みであるが今回の蔵書点検で点検されなかった書籍であり、かつ、貸出中でない書籍を点検漏れ書籍として前記蔵書データベースから抽出するステップと、
（ｂ）前回の蔵書点検時に関する前記点検漏れ書籍の点検順の前後の書籍を前記蔵書データベースから抽出するステップと、
（ｃ）前記ステップ（ｂ）で抽出された前後の書籍の管理場所を前記点検漏れ書籍の管理場所として推定するステップと、
（ｄ）前記点検漏れ書籍及びその推定された管理場所を含むリストの表示出力又は印字出力を行うステップとを含む処理を前記管理コンピュータに実行させることを特徴とするコンピュータプログラム。
【００６０】
（付記５）蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を推定するために前記管理コンピュータに実行させるコンピュータプログラムであって、前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検者を特定する点検者フィールド、点検順のフィールド及び管理場所のフィールドを含み、前記コンピュータプログラムは、
（ａ）前回の蔵書点検時に点検済みであるが今回の蔵書点検で点検されなかった書籍であり、かつ、貸出中でない書籍を点検漏れ書籍として前記蔵書データベースから抽出するステップと、
（ｂ）前回の蔵書点検時に関する前記点検漏れ書籍と同一の点検者であり、かつ、点検順が前後の書籍を前記蔵書データベースから抽出するステップと、
（ｃ）前記ステップ（ｂ）で抽出された前後の書籍の管理場所を前記点検漏れ書籍の管理場所として推定するステップと、
（ｄ）前記点検漏れ書籍及びその推定された管理場所を含むリストの表示出力又は印字出力を行うステップとを含む処理を前記管理コンピュータに実行させることを特徴とするコンピュータプログラム。
【００６１】
（付記６）前記ステップ（ｃ）において、前記点検漏れ書籍の点検順の前後の書籍の管理場所が一致する場合は、その管理場所を前記点検漏れ書籍の管理場所として推定し、前後の書籍の管理場所が異なる場合は、それら２つの管理場所を点検漏れ書籍の推定管理場所として併記することを特徴とする付記４又は５記載のコンピュータプログラム。
【００６２】
（付記７）蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を推定するために前記管理コンピュータに実行させるコンピュータプログラムを記録したコンピュータ読み取り可能な記録媒体であって、前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検順のフィールド及び管理場所のフィールドを含み、前記コンピュータプログラムは、
（ａ）前回の蔵書点検時に点検済みであるが今回の蔵書点検で点検されなかった書籍であり、かつ、貸出中でない書籍を点検漏れ書籍として前記蔵書データベースから抽出するステップと、
（ｂ）前回の蔵書点検時に関する前記点検漏れ書籍の点検順の前後の書籍を前記蔵書データベースから抽出するステップと、
（ｃ）前記ステップ（ｂ）で抽出された前後の書籍の管理場所を前記点検漏れ書籍の管理場所として推定するステップと、
（ｄ）前記点検漏れ書籍及びその推定された管理場所を含むリストの表示出力又は印字出力を行うステップとを含むことを特徴とする記録媒体。
【００６３】
（付記８）蔵書データベースの更新・管理を行う管理コンピュータと、各書籍に付されたバーコードを順番に読み取って得られるデータを蔵書データとしてメモリに蓄積し、所定のタイミングで前記蔵書データを上位の管理コンピュータに転送する携帯端末とを備えた図書管理システムにおいて、前記携帯端末から転送された蔵書データにしたがって更新された前記蔵書データベースに基づいて点検漏れと推定される書籍の管理場所を推定するために前記管理コンピュータに実行させるコンピュータプログラムを記録したコンピュータ読み取り可能な記録媒体であって、前記蔵書データベースの書籍ごとに設けられた各レコードは、書籍が貸出中であるか否かが分かる貸出フィールドと蔵書点検履歴フィールドを含み、前記蔵書点検履歴フィールドは、少なくとも前回及び今回の蔵書点検履歴に関して、点検者を特定する点検者フィールド、点検順のフィールド及び管理場所のフィールドを含み、前記コンピュータプログラムは、
（ａ）前回の蔵書点検時に点検済みであるが今回の蔵書点検で点検されなかった書籍であり、かつ、貸出中でない書籍を点検漏れ書籍として前記蔵書データベースから抽出するステップと、
（ｂ）前回の蔵書点検時に関する前記点検漏れ書籍と同一の点検者であり、かつ、点検順が前後の書籍を前記蔵書データベースから抽出するステップと、
（ｃ）前記ステップ（ｂ）で抽出された前後の書籍の管理場所を前記点検漏れ書籍の管理場所として推定するステップと、
（ｄ）前記点検漏れ書籍及びその推定された管理場所を含むリストの表示出力又は印字出力を行うステップとを含むことを特徴とする記録媒体。
【００６４】
（付記９）前記ステップ（ｃ）において、前記点検漏れ書籍の点検順の前後の書籍の管理場所が一致する場合は、その管理場所を前記点検漏れ書籍の管理場所として推定し、前後の書籍の管理場所が異なる場合は、それら２つの管理場所を点検漏れ書籍の推定管理場所として併記することを特徴とする付記７又は８記載の記録媒体。
【００６５】
【発明の効果】
以上に説明したように、本発明の図書管理システムにおける蔵書点検漏れ発見方法及びコンピュータプログラムによれば、蔵書点検において点検漏れとなった書籍の管理場所を管理コンピュータが推定して表示又は印字出力するので、勤務期間の短い職員のように熟練度の低い点検者の場合であっても短時間で容易に点検漏れ書籍を実際の管理場所で発見することができる。
【図面の簡単な説明】
【図１】本発明の実施形態に係る図書管理システムの概要を示す全体構成図である。
【図２】蔵書データのレコード構成例を示す図表である。
【図３】蔵書データベースのレコード構成例を示す図表である。
【図４】管理コンピュータの処理装置が実行する点検漏れ書籍の管理場所の推定に関する処理の第１例を示すフローチャートである。
【図５】管理コンピュータの処理装置が実行する点検漏れ書籍の管理場所の推定に関する処理の第２例を示すフローチャートである。
【図６】蔵書点検システムを構成する携帯端末の表示部に表示される初期入力画面の例を示す図である。
【図７】書架に書籍が並べられた状態の例を模式的に示す図である。
【図８】管理コンピュータの表示装置に表示される点検漏れ書籍及びその推定された管理場所を含むリストの表示例を示す図表である。
【図９】蔵書データベースに含まれる書籍レコードの一部を抜書きした図表である。
【図１０】図８の一覧表示において推定管理場所の欄を選択したときに表示されるレイアウトの表示例を示す図である。
【符号の説明】
１　管理コンピュータ
２　携帯端末
３　バーコードリーダ
６　記録媒体
【図１】
2004118487.tif 000003
【図２】
2004118487.tif 000004
【図３】
2004118487.tif 000005
【図４】
2004118487.tif 000006
【図５】
2004118487.tif 000007
【図６】
2004118487.tif 000008
【図７】
2004118487.tif 000009
【図８】
2004118487.tif 000010
【図９】
2004118487.tif 000011
【図１０】
2004118487.tif 000012